【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
システムであって、
照射放射を細胞に向けるように構成される照射源と、
前記細胞からの放射を計測するように構成される検出器と、
前記検出器に結合される電子プロセッサとを備え、前記電子プロセッサは、
計測される前記放射に対応する１つ以上の計測信号を前記検出器から受信し、
前記照射放射の波長に対応する前記細胞の少なくとも１つの光学濃度値を測定し、
前記細胞に関連付けられる平均光学濃度値および最大光学濃度値に基づいて、前記照射放射の前記波長に対応する前記細胞の少なくとも１つの細胞体積値を測定し、かつ
前記少なくとも１つの光学濃度値と前記少なくとも１つの細胞体積値とを結合することによって前記細胞のヘモグロビン含有量値を測定する、
ように構成される、システム。
【請求項２】
前記照射放射は複数の細胞に向けられ、
前記検出器が計測する前記放射は前記複数の細胞からの放射を備え、
前記細胞の各々１つ毎に、前記電子プロセッサは、
前記照射放射の波長に対応する少なくとも１つの光学濃度値を測定し、
前記細胞に関連付けられる平均光学濃度値および最大光学濃度値に基づいて、前記照射放射の前記波長に対応する少なくとも１つの細胞体積値を測定し、かつ
前記少なくとも１つの光学濃度値と前記少なくとも１つの細胞体積値とを結合することによってヘモグロビン含有量値を測定する、
ように構成される、請求項１に記載のシステム。
【請求項３】
前記電子プロセッサは、前記複数の細胞の各々１つの前記ヘモグロビン含有量値に基づいて平均細胞ヘモグロビン値を測定するように構成される、請求項２に記載のシステム。
【請求項４】
前記システムは表示装置をさらに備え、前記電子プロセッサは、
前記複数の細胞のうち少なくともいくつかの画像を前記表示装置上に表示し、かつ
表示される前記画像の各々１つ毎に、前記表示装置上の前記画像上に重ねられる前記複数の細胞のうち対応する１つの前記平均細胞ヘモグロビン値を表示する、
ように構成される、請求項３に記載のシステム。
【請求項５】
前記電子プロセッサは、前記複数の細胞の各々１つ毎に、
前記細胞の面積を測定し、かつ
前記細胞の前記面積および前記細胞の平均光学濃度値に基づいて前記少なくとも１つの細胞体積値を測定する、
ように構成される、請求項３に記載のシステム。
【請求項６】
前記電子プロセッサは、前記複数の細胞の各々１つ毎に、前記細胞の前記面積および前記細胞の前記平均光学濃度値に基づいて前記少なくとも１つの光学濃度値を測定するように構成される、請求項５に記載のシステム。
【請求項７】
前記電子プロセッサは、前記複数の細胞の各々１つ毎に、前記細胞の前記面積と、前記少なくとも１つの光学濃度値と、前記少なくとも１つの細胞体積値とを結合することによって前記ヘモグロビン含有量値を測定するように構成される、請求項５に記載のシステム。
【請求項８】
前記電子プロセッサは、前記少なくとも１つの光学濃度値と前記少なくとも１つの細胞体積値との線形結合として前記ヘモグロビン含有量値を算出することによって、前記細胞の前記面積と、前記少なくとも１つの光学濃度値と、前記少なくとも１つの細胞体積値とを結合するように構成される、請求項７に記載のシステム。
【請求項９】
前記電子プロセッサは、前記複数の細胞の各々１つ毎に、１つの細胞体積値、光学濃度値、および１つのヘモグロビン含有量値を測定するように構成され、前記１つの細胞体積値および１つの前記光学濃度値は前記照射放射の１つの波長に対応する、請求項３に記載のシステム。
【請求項１０】
方法であって、
（ａ）照射放射を細胞に向けることと、
（ｂ）前記細胞からの放射を計測することと、
（ｃ）前記照射放射の波長に対応する前記細胞の少なくとも１つの光学濃度値を測定することと、
（ｄ）前記細胞に関連付けられる平均光学濃度値および最大光学濃度値に基づいて、前記照射放射の前記波長に対応する前記細胞の少なくとも１つの細胞体積値を測定することと、
（ｅ）前記少なくとも１つの光学濃度値と前記少なくとも１つの細胞体積値とを結合することによって前記細胞のヘモグロビン含有量値を測定することと、を備える、方法。
【請求項１１】
前記照射放射は複数の細胞に向けられ、計測された前記放射は前記複数の細胞の各々１つからの放射を備え、前記方法はさらに、前記複数の細胞の各々１つ毎に、
前記細胞からの放射を計測することと、
前記照射放射の波長に対応する少なくとも１つの光学濃度値を測定することと、
前記細胞に関連付けられる平均光学濃度値および最大光学濃度値に基づいて、前記照射放射の前記波長に対応する少なくとも１つの細胞体積値を測定することと、
前記少なくとも１つの光学濃度値と前記少なくとも１つの細胞体積値とを結合することによってヘモグロビン含有量値を測定することと、を備える、請求項１０に記載の方法。
【請求項１２】
前記複数の細胞の各々１つの前記ヘモグロビン含有量値に基づいて、平均細胞ヘモグロビン値を測定することをさらに備える、請求項１１に記載の方法。
【請求項１３】
前記複数の細胞の少なくともいくつかの画像を表示することと、
表示される前記画像の各々１つ毎に、前記画像上に重ねられる前記複数の細胞のうち対応する１つの前記平均細胞ヘモグロビン値を表示することと、をさらに備える、請求項１２に記載の方法。
【請求項１４】
前記複数の細胞の各々１つ毎に、
前記細胞の面積を測定することと、
前記細胞の前記面積および前記細胞の平均光学濃度値に基づいて前記少なくとも１つの細胞体積値を測定することと、をさらに備える、請求項１２に記載の方法。
【請求項１５】
前記複数の細胞の各々１つ毎に、前記細胞の前記面積および前記細胞の前記平均光学濃度値に基づいて前記少なくとも１つの光学濃度値を測定することをさらに備える、請求項１４に記載の方法。
【請求項１６】
前記複数の細胞の各々１つ毎に、前記細胞の前記面積と、前記少なくとも１つの光学濃度値と、前記少なくとも１つの細胞体積値とを結合することによって、前記ヘモグロビン含有量値を測定することをさらに備える、請求項１４に記載の方法。
【請求項１７】
前記少なくとも１つの光学濃度値と前記少なくとも１つの細胞体積値との線形結合として前記ヘモグロビン含有量値を算出することによって、前記細胞の前記面積と、前記少なくとも１つの光学濃度値と、前記少なくとも１つの細胞体積値とを結合することをさらに備える、請求項１６に記載の方法。
【請求項１８】
前記複数の細胞の各々１つ毎に、１つの細胞体積値、光学濃度値、および１つのヘモグロビン含有量値を測定することを備え、前記１つの細胞体積値および１つの前記光学濃度値は前記照射放射の１つの波長に対応する、請求項１２に記載の方法。
【請求項１９】
ステップ（ａ）−（ｅ）は血液分析装置によって行なわれ、前記複数の細胞は対照組成物に対応し、前記平均細胞ヘモグロビン値は前記対照組成物の平均細胞ヘモグロビン値に対応し、前記方法はさらに、
前記対照組成物の測定された前記平均細胞ヘモグロビン値と参照平均細胞ヘモグロビン値との間の差を算出することによって、前記対照組成物の前記参照平均細胞ヘモグロビン値と前記対照組成物の測定された前記平均細胞ヘモグロビン値とを比較することと、
前記差と差のしきい値とを比較することと、
前記差が前記しきい値を超える場合に前記血液分析装置を再校正することとを備える、請求項１２に記載の方法。
【請求項２０】
前記複数の細胞の各々１つ毎に、
前記細胞の面積を測定することと、
前記細胞の前記面積および前記細胞の平均光学濃度値に基づいて前記少なくとも１つの細胞体積値を測定することと、をさらに備える、請求項１９に記載の方法。
【請求項２１】
前記複数の細胞の各々１つ毎に、前記細胞の前記面積および前記細胞の前記平均光学濃度値に基づいて前記少なくとも１つの光学濃度値を測定することをさらに備える、請求項２０に記載の方法。
【請求項２２】
前記複数の細胞の各々１つ毎に、前記細胞の前記面積と、前記少なくとも１つの光学濃度値と、前記少なくとも１つの細胞体積値とを結合することによって、前記ヘモグロビン含有量値を測定することをさらに備える、請求項２０に記載の方法。
【請求項２３】
前記複数の細胞の各々１つ毎に、電子プロセッサを用いて、前記細胞の前記面積と面積値の範囲とを比較することによって、前記平均細胞ヘモグロビン値を測定するのに用いられた前記複数の細胞から前記細胞を排除するか否かを判定することをさらに備える、請求項２０に記載の方法。
【請求項２４】
前記複数の細胞の各々１つ毎に、電子プロセッサを用いて、１つの細胞体積値、１つの光学濃度値、および１つのヘモグロビン含有量値を測定することを備える、請求項１９に記載の方法。
【請求項２５】
前記１つの細胞体積値および前記１つの光学濃度値は照射放射の１つの波長に対応する、請求項２４に記載の方法。